(57)【要約】【課題】製造コストが安価で、使い捨てであっても環境に優しく、眼球に圧力が加わりにくい眼帯の提供を課題とする。【解決手段】通気孔１が設けられた所定形状の紙に略中央部から周縁に至る重ね合わせ用の一本の切り込み２と、前記切り込み２を挟んで対応する位置に重ね合わせ時の仮止めをする仮止手段とが設けられ、所定部分を重ね合わせると共に前記仮止め手段で仮止めを行い、前記重ね合わせ部を接合手段により接合して所定の立体形状に形成した。【選択図】　　　　図２
2004065892.tif 000002
【特許請求の範囲】
【請求項１】
通気孔が設けられた所定形状の紙に略中央部から周縁に至る重ね合わせ用の一本の切り込みと、前記切り込みを挟んで対応する位置に重ね合わせ時の仮止めをする仮止手段とが設けられ、所定部分を重ね合わせると共に前記仮止め手段で仮止めを行い、前記重ね合わせ部を接合手段により接合して所定の立体形状に形成したことを特徴とする眼帯。
【請求項２】
前記所定形状の紙は、円形であることを特徴とする請求項１に記載の眼帯。
【請求項３】
前記所定形状の紙は、大円と小円を両者がその一部を相互に重なり合うように配置され一対の接線で周縁の一部を形成する形状であることを特徴とする請求項１に記載の眼帯。
【請求項４】
前記所定形状の紙は、楕円と小円の一部を相互に重なり合うように配置された形状であることを特徴とする請求項１に記載の眼帯。
【請求項５】
前記仮止め手段は、前記切り込みを挟んで両側に張り出した半円形の凸部と、前記半円形の凸部に形成された切り込みであることを特徴とする請求項１に記載の眼帯。
【請求項６】
前記仮止め手段は、前記切り込みを挟んで対応する位置に設けられた舌片とスリットであることを特徴とする請求項１に記載の眼帯。
【請求項７】
通気孔が設けられた所定形状の紙に、この紙の略中央に折り込み用の穴が設けられ、この穴から左右の両周縁の夫々に至り対向面を接合手段により接合した上向きの折り込み部を形成し、左右の折り込み部の端部に紐通し用の穴を設けて所定の立体形状に形成したことを特徴とする眼帯。
【請求項８】
前記接合手段は、接着テープまたは接着剤であることを特徴とする請求項１または請求項７に記載眼帯。
【請求項９】
前記所定の立体形状は、略円錐形状であることを特徴とする請求項１または請求項７に記載眼帯。
【請求項１０】
前記所定形状の紙には、周辺に折り返し部が形成されていることを特徴とする請求項１または請求項７に記載の眼帯。
【発明の詳細な説明】
【０００１】
【発明の属する技術分野】
本発明は、眼球を保護する場合などに使用する眼帯に関する。
【０００２】
【従来の技術】
従来一般に使用されている眼帯は、合成樹脂や例えばアルミニウム等の軽金属の薄板をほぼ薄い皿状に加工し、通気孔を設けたものであり、紐によって両側の耳に支持されるようになっていた。そして眼帯の内側に保持されたガーゼ等によって眼球を保護するようにしていた。
【０００３】
さらに、特開平１０−７１１６９号公報には、「弾力性不燃樹脂生地をもって、本体部をほぼ方形に形成し、左右の側辺に、耳を延設して、一体化にして形成する。本体部の中央部を凹形に成形をして、一面から他面に通じる機構を複数個設ける。耳の両端に、医療用両面接着テープを設ける。以上の如く構成した、紐なしアイマスク」が開示されている。
【０００４】
また、実開昭６３−８４２２８号公報には、「合成樹脂によってほぼ皿状に成形されるとともに、周縁部に金属ワイヤを埋め込んでなり、さらに通気孔を形成するようにしたことことを特徴とする眼球保護用プロテクタ」が開示されている。
【０００５】
【発明が解決しようとする課題】
上述した眼帯（アイマスク、眼球保護用プロテクタ）は使い捨てであって、その材質が合成樹脂または軽金属であるため環境に悪影響があり、また製造コストが高いという問題がある。特に実開昭６３−８４２２８号公報に示す眼帯は、製造に手間がかかり、製造コストが高いという問題があった。
【０００６】
また、前述した眼帯（アイマスク、眼球保護用プロテクタ）のうち、特開平１０−７１１６９号公報に示す眼帯は眼球との間に空間が存在しないために、眼球に圧力が加わりやすい欠点があり、手術後の眼球の保護には不適当であるばかりか、手術の種類によっては使用できない場合もあった。
【０００７】
本発明は、前記の従来の眼帯（アイマスク、眼球保護用プロテクタ）のもつ欠点を解消し、製造コストが安価で、使い捨てであっても環境に優しく、眼球に圧力が加わりにくい眼帯の提供を課題とする。
【０００８】
【課題を解決するための手段】
請求項１に係る本発明は、通気孔が設けられた所定形状の紙と、この紙の略中央から周縁に至る重ね合わせ用の一本の切り込みと、この切り込みを挟んで対応する位置に重ね合わせ時の仮止めをする仮止手段とが設けられ、所定部分を重ね合わせると共に前記仮止め手段で仮止めを行い、前記重ね合わせ部を接合手段により接合して所定の立体形状に形成したことを特徴とするものである。
【０００９】
また、本発明に使用する所定形状の紙は、円形、または大円と小円を両者がその一部を相互に重なり合うように配置され一対の接線で周縁の一部を形成する形状や、楕円と小円の一部を相互に重なり合うように配置された形状にしてもよい。
【００１０】
また、本発明の仮止め手段は、前記切り込みを挟んで両側に半円形の凸部設けられ、前記凸部に形成された切り込としてもよいし、前記切り込みを挟んで対応する位置に設けられた舌片とスリットとしてもよい。
【００１１】
また、本発明は、通気孔が設けられた所定形状の紙に、この紙の略中央に折り込み用の穴と、この穴から左右の両周縁の夫々に至り対向面を接合手段により接合した上向きの折り込み部を形成し、左右の折り込み部の端部に紐通し用の穴を設けて所定の立体形状に形成したことを特徴としている。
【００１２】
また、本発明の接合手段は、接着テープまたは接着剤であることを特徴とし、前記所定の立体形状は、略円錐形状であることを特徴とするものである。このように構成された眼帯は安価で使いやすい。
【００１３】
さらに、本発明の所定形状の紙には、周辺に折り返しが形成されている。このように構成された眼帯は、紙の端面が直接皮膚に当たらないので、皮膚を傷つけない。
【００１４】
【発明の実施の形態】
本発明に係る眼帯の実施の形態を添付の図面を参照して詳細に説明する。
図１は本発明の第１の実施の形態に係る眼帯の３種類の形状を示す展開図、図２は図１の眼帯の製作手順を示す説明図、図３は図１の眼帯の断面を示す断面図、図４は本発明の眼帯の実施例を示す展開図、図５は図４の眼帯の使用状況を示す斜視図、図６は図４の眼帯の製作手順を示す説明図、図７は本発明の第２の実施の形態に係る眼帯を示す展開図、図８は図７の眼帯の使用状況を示す斜視図である。
【００１５】
本発明の第１の実施の形態に係る眼帯は、図１に示すように、複数の通気孔１，１，１・・・が設けられた所定形状の紙に略中央部から周縁に至る重ね合わせ用の一本の切り込み２と、この切り込みを挟んで対応する位置に重ね合わせ時の仮止めをする仮止手段とが設けられ、所定部分を重ね合わせると共に前記仮止め手段で仮止めを行い、前記重ね合わせ部分を接合手段により接合して所定の立体形状に形成したものである。
【００１６】
この実施の形態に係る眼帯は、三種類の形状があり、図１（ａ）に示す眼帯は円形の眼帯Ａを示しており、図１（ｂ）に示す眼帯は大円と小円を両者がその一部を相互に重なり合うように配置し一対の接線で周縁の一部を形成するようにした眼帯Ｂを示している。また、図１（ｃ）に示すは楕円と小円の一部を相互に重なり合うように配した眼帯Ｃを示すものである。
【００１７】
また、これらの眼帯Ａ，Ｂ，Ｃは、それぞれに共通して仮止手段を有している。この仮止手段は、切り込み２を挟んで両側に大円から張り出した半円形の凸部３，４が設けられ、この張り出した凸部３，４に切り込み３ａ，４ａが形成されたものである。
【００１８】
さらに、これらの眼帯Ａ，Ｂ，Ｃは、それぞれに共通して周辺に折り返し部５が形成されている。この折り返し部５は、図３に示すように、眼帯Ａ，Ｂ，Ｃのそれぞれの端面５ａが上方に折り返されており、端面５ａが直接皮膚に当たり切り傷などを付けることを防止するものである。
【００１９】
このように構成された眼帯Ａ，Ｂ，Ｃの製作手順について、図２を参照して説明する。
やや厚みが厚く適当な剛性と弾性を具備した素材の紙から、図２（ａ）の展開図に示すように円形の紙形、複数の通気孔１、切り込み２、仮止手段の凸部３，４、折り返し部５を型抜きで製作する。次いで、図２（ｂ）に示すように切り込み３ａ，４ａが互いに食い込む位置まで移動・重なり合わせる。そして重ね合わせ部に接合手段である接着テープ８または接着剤９で固定する。
【００２０】
次に、図４に示す眼帯Ａ′，Ｂ′，Ｃ′は、上述した眼帯Ａ，Ｂ，Ｃの仮止手段を変更した実施例を示すもので、仮止手段を前記切り込み２を挟んで対応する位置に設けられた舌片６とスリット７にしたものである。
【００２１】
これらの眼帯Ａ′，Ｂ′，Ｃ′の製作方法、製作手順は、前述した眼帯Ａ，Ｂ，Ｃと同様であるが、図５に基づいて説明する。
やや厚みが厚く適当な剛性と弾性を具備した素材の紙から、図５（ａ）の展開図に示すように円形の紙形、複数の通気孔１、切り込み２、仮止め用の舌片６とスリット７を形抜きで製作する。次いで、図５（ｂ）に示すように切り込み２の一方の側（スリット７が設けてある側）が他方の側の上に重なるように、仮止め用の舌片６がスリット７に挿入できる切り込み２の位置まで移動・重なり合わせる。そして仮止め用の舌片６をスリット７に挿入し折り曲げる。最後に重ね合わせ部に接合手段で固定する。
【００２２】
上記のようにして製作した円錐形の眼帯を使用するときは、図５に示すように円錐の外周近辺を複数の接着テープ１０で、眼球の周囲に支持・固定すればよい。また、接合手段である半円形の凸部３，４は直接皮膚に当たらないように、予め上方に折り曲げておくものである。
【００２３】
以上の構成された眼帯は、一般的には眼帯Ａが使用されるが、顔の形状、特に鼻の位置と高さによっては、眼帯Ｂや眼帯Ｃがより適合するものである。眼帯Ｂや眼帯Ｃは、その製作方法・製作手順および使用方法は眼帯Ａと略同一であるので説明を省略する。
【００２４】
次に、本発明の第２の実施の形態に係る眼帯を図６、図７を参照して詳細に説明する。
本発明の眼帯Ｄは、図６（ａ）に示すように、複数の通気孔１を設けた楕円形の紙の中央に孔１１を開け、この孔１１の左右に周縁に向かって間隔が広くなる折り線１２および中央に折り線１３を設けている。
【００２５】
また、この眼帯Ｄは、図６（ｂ）に示すように中央の折り線１３が稜線となるように対向する折り線１２，１２の間の裏側にのり付けを行い、紙を２つ折りにすると共に、図６（ｃ）に示すように折り線１２を紙が外側に開くように折る。その結果図６（ｂ），（ｃ）に示すように楕円錐もしくは円錐状の眼帯となる。なお、この眼帯には図６（ａ），（ｂ）に示すように紐通し用の左右の孔１４を設けている。
【００２６】
このように構成された眼帯Ｄの使用方法について説明する。
まず、図７（ａ）に示す方法では、左右の紐通し用の孔１４にそれぞれ紐１５を通し、これらの紐１５の反対側をそれぞれ結んで両耳に掛けて支持・固定するようにする。
また、図７（ｂ）に示す方法では、眼帯Ｄの周縁を接着テープで目の周りに固定する。
【００２７】
尚、本発明の眼帯は、上述した実施の形態に限定されるものではなく、特許請求の範囲内にて様々なな態様が可能なことは勿論である。
例えば、この眼帯に用する紙の形状は円形に限定されるものではなく、楕円形、三角形や四辺形、或いはこれらの形状の組み合わせでも使用できることは勿論である。
【００２８】
【発明の効果】
本発明は、以上のように構成されたので、以下のような優れた効果を奏するものである。
（１）素材は紙であるので、素材コストが安く、使い捨てにしても処理が簡単で環境に優しい。
（２）立体形状が略円錐形なので、組み立てが簡単で眼球に圧力が加わりにくい。
（３）周辺に折り返し部を設けてあるので、紙の切断面が皮膚に直接当たらず、皮膚を傷つけることがなく安全である。
（４）加工のほとんどが型抜きであるので製造コストが安い。
（５）眼帯としての用途の他に炎症部の保護などにも幅広く使用できる。
（６）素材の紙の色で症状や処置内容等を識別させることができ、治療等において素早く対応できる。
【図面の簡単な説明】
【図１】本発明の第１の実施の形態に係る眼帯の３種類の形状を示す展開図である。
【図２】
図１の眼帯の製作手順を示す説明図である。
【図３】図１の眼帯の構造を示す断面図である。
【図４】本発明の眼帯の実施例を示す展開図である。
【図５】図４の眼帯の使用時の状況を示す斜視図である。
【図６】図４の眼帯の製作手順を示す説明図である。
【図７】本発明の第２の実施の形態に係る眼帯の図で、（ａ）は展開図、（ｂ）は側面図、（ｃ）は平面図である。
【図８】図７の眼帯の使用状況を示す斜視図である。
【符号の説明】
Ａ　　眼帯
Ｂ　　眼帯
Ｃ　　眼帯
Ａ′　眼帯
Ｂ′　眼帯
Ｃ′　眼帯
Ｄ　　眼帯
１　　通気孔
２　　切り込み
３　　凸部
３ａ　切り込み
４　　凸部
４ａ　切り込み
５　　折り返し部
５ａ　端面
６　　下片
７　　スリット
８　　接着テープ
９　　接着剤
１１　　穴
１２　　折り線
１３　　折り線
１４　　紐通し用の孔
１５　　紐
【図１】
2004065892.tif 000003
【図２】
2004065892.tif 000004
【図３】
2004065892.tif 000005
【図４】
2004065892.tif 000006
【図５】
2004065892.tif 000007
【図６】
2004065892.tif 000008
【図７】
2004065892.tif 000009
【図８】
2004065892.tif 000010